(57)【要約】【課題】  ヒートブリッジを抑制し鉄筋量、壁厚を削減することのできる外断熱構造の外壁とその施工方法を提供する。【解決手段】  コンクリート系の成形板からなるパネル本体１２の内面全体に断熱材１３を取り付け、その内面側に突出するトラス筋１５を半埋設状態で取り付けた外装パネル１１を用い、該外装パネルをコンクリート造の外壁本体１４の外側に一体化することで、パネル本体と外壁本体との間に断熱材を介装し、外装パネルの内面側にはトラス筋とともに外壁本体に対して定着するためのスタッド１６を植設しておく。外装パネルおよび外壁本体にはそれぞれ１段づつの壁筋１７，１８を配筋して外壁全体で２段の壁筋を配筋する。その施工は、外装パネルを打込型枠として使用して外壁本体を現場打ちするか、あるいは外壁本体をＰＣａ化して外装パネルに予め一体化したサンドイッチＰＣａ版としておく。【選択図】      図１
2005105534.tif 000002
【特許請求の範囲】
【請求項１】
コンクリート系の成形板からなるパネル本体の内面全体に断熱材が取り付けられ、かつその内面側に突出するトラス筋が半埋設状態で取り付けられた外装パネルを用い、該外装パネルをコンクリート造の外壁本体の外側に一体化することで、パネル本体と外壁本体との間に断熱材を介装した外断熱構造の外壁の構造であって、前記外装パネルの内面側には、前記トラス筋とともに外壁本体に対して定着するためのスタッドが植設されていることを特徴とする外壁の構造。
【請求項２】
請求項１記載の外壁の構造であって、前記外装パネルおよび前記外壁本体にはそれぞれ１段ずつ壁筋が配筋されることにより、この外壁には断熱材を挟んで２段の壁筋が配筋されていることを特徴とする外壁の構造。
【請求項３】
請求項１または２記載の構造の外壁を施工するための方法であって、前記外装パネルを打込型枠として使用してその内側にコンクリートを現場打ちすることにより、前記外壁本体を前記トラス筋および前記スタッドを介して外装パネルと一体化した状態で形成することを特徴とする外壁の施工方法。
【請求項４】
請求項１または２記載の構造の外壁を施工するための方法であって、前記外装パネルの内側にＰＣａ版からなる外壁本体を前記トラス筋および前記スタッドを介して予め一体に組み付けることで断熱材を挟み込んだサンドイッチＰＣａ版を形成し、そのサンドイッチＰＣａ版を建て込むことで外壁を形成することを特徴とする外壁の施工方法。
【発明の詳細な説明】
【技術分野】
【０００１】
本発明は建物の外壁の構造、特にいわゆる外断熱構造による外壁の構造に関する。
【背景技術】
【０００２】
周知のように、ＲＣ造ないしＳＲＣ造の建物の断熱性能を向上させるために外壁や屋上に断熱材を取り付ける場合、従来一般には躯体の内側に断熱材を取り付けるいわゆる内断熱構造とすることが通常であったが、内断熱構造では断熱材と躯体との間において内部結露が生じることがあるので、断熱材の剥離、ダニやカビの発生等が問題となる場合がある。そのため、最近においては断熱材を躯体の外側に取り付ける外断熱構造が着目されており、広く普及する気運にある。
【０００３】
そのような外断熱構造の外壁として、本出願人は先に図３〜図４に示す構造のものを提案した（特許文献１参照）。これは、図２に示すような打込型枠１、すなわちコンクリート系の成形板（ＰＣａ版やＡＬＣ版等）からなる型枠本体２の内面側に、予め断熱材３および定着部材としてのトラス筋４を縦横に取り付けた構成の打込型枠１を使用し、その打込型枠１の内側にコンクリートを打設することにより、本来の外壁としての外壁本体５と型枠本体２とをトラス筋４を介して一体化してそれらの間に断熱材３を介装するようにしたものである。図１における符号６は型枠本体２における補強筋、７は外壁本体５に配筋された２段（ダブル）の壁筋である。
【特許文献１】特開２００２−２５６６４０号公報
【発明の開示】
【発明が解決しようとする課題】
【０００４】
上記構造の外壁では、打込型枠１と外壁本体５とを確実強固に一体化するために多数のトラス筋４（図示例のものは縦横に４本づつ計８本）を細かいピッチ（通常は＠６００ｍｍ×＠１０００ｍｍ）で設けていたが、そのためそれらトラス筋４がヒートブリッジ（熱橋）となって無視し得ない断熱性能の低下が生じるので、その点での改善が必要とされていた。
【０００５】
また、上記構造の外壁では、上記のように打込型枠１と外壁本体５とを一体化するために多くのトラス筋４を用いていたのみならず、型枠本体２には補強筋６も配筋されるものであるし、本来の外壁としての外壁本体５には２段（ダブル）の壁筋７を配筋していたことから、外壁全体として鉄筋量がかなり多くなるし、壁厚も厚くなり、よって重くもなり、その点での改善も望まれていた。
【０００６】
上記事情に鑑み、本発明はヒートブリッジを抑制して断熱性能を向上させることができ、併せて鉄筋量を削減することのできる有効な外断熱構造の外壁とその施工方法を提供することを目的とする。
【課題を解決するための手段】
【０００７】
請求項１の発明は、コンクリート系の成形板からなるパネル本体の内面全体に断熱材が取り付けられ、かつその内面側に突出するトラス筋が半埋設状態で取り付けられた外装パネルを用い、該外装パネルをコンクリート造の外壁本体の外側に一体化することで、パネル本体と外壁本体との間に断熱材を介装した外断熱構造の外壁の構造であって、前記外装パネルの内面側には、前記トラス筋とともに外壁本体に対して定着するためのスタッドが植設されていることを特徴とするものである。
【０００８】
請求項２の発明は、請求項１の発明の外壁の構造であって、前記外装パネルおよび前記外壁本体にはそれぞれ１段ずつ壁筋が配筋されることにより、この外壁には断熱材を挟んで２段の壁筋が配筋されていることを特徴とするものである。
【０００９】
請求項３の発明は、請求項１または２の発明の構造の外壁を施工するための方法であって、前記外装パネルを打込型枠として使用してその内側にコンクリートを現場打ちすることにより、前記外壁本体を前記トラス筋および前記スタッドを介して外装パネルと一体化した状態で形成することを特徴とするものである。
【００１０】
請求項４の発明は、請求項１または２の発明の構造の外壁を施工するための方法であって、前記外装パネルの内側にＰＣａ版からなる外壁本体を前記トラス筋および前記スタッドを介して予め一体に組み付けることで断熱材を挟み込んだサンドイッチＰＣａ版を形成し、そのサンドイッチＰＣａ版を建て込むことで外壁を形成することを特徴とするものである。
【発明の効果】
【００１１】
請求項１の発明によれば、本来の外壁としての外壁本体の外側に外装パネルを一体化してそのパネル本体と外壁本体との間に断熱材を介装することにより優れた外断熱効果が得られることはもとより、外装パネルを外壁本体に対して一体化するための定着部材としてトラス筋とスタッドとを併用していることから、トラス筋の所要量を削減できるし、それによってトラス筋を介してのヒートブリッジを軽減することができて断熱効果をより一層高めることができる。
【００１２】
請求項２の発明によれば、外装パネルに１段の壁筋を配筋してその外装パネルが外壁の一部を構成する構造部材として機能することにより、本来の外壁である外壁本体には１段（シングル）の壁筋を配筋することで充分であり、外壁全体の壁筋の所要量を必要最少限まで削減することができ、壁厚も薄くでき、よって軽くすることができる。
【００１３】
請求項３の発明によれば、外装パネルを打込型枠として使用してその内側にコンクリートを打設して外壁本体を現場打ちにて形成することにより、外装パネルと外壁本体とを自ずと一体化した状態で効率的に施工することができる。
【００１４】
請求項４の発明によれば、外装パネルのみならず外壁本体もＰＣａ化してそれら外装パネルと外壁本体とを予め一体化したサンドイッチＰＣａ版としておき、それを建て込むことのみで、外断熱構造の外壁を乾式工法にて効率的に施工することができる。
【発明を実施するための最良の形態】
【００１５】
本発明の実施形態を図１〜図２を参照して説明する。図１は本実施形態の外壁の構造を示すものであり、図２はその外壁を形成するための外装パネル１１を示すものである。
【００１６】
本実施形態における外装パネル１１は、基本的には図４に示した従来の打込型枠１と同様のものであって、ＰＣａ版やＡＬＣ版等のコンクリート系の成形板からなるパネル本体１２の内面全体に断熱材１３が取り付けられ、かつ本来の外壁である外壁本体１４に定着するための定着部材としてのトラス筋１５が半埋設状態で取り付けられたものであるが、従来の打込型枠１に較べてトラス筋１５のピッチは２倍程度（たとえば＠１２００×＠１８００）に大きくされ、したがってトラス筋１５の本数は従来の打込型枠１に較べて半数（図示例では縦横２本づつ、計４本）に削減されている。
【００１７】
そして、トラス筋１５を削減したことに伴い、トラス筋１５と同様に外壁本体１４に対する定着部材として機能する複数（図示例では全９本）のスタッド１６が植設されている。スタッド１６としてはたとえばφ９ｍｍ程度のスタッドボルトが好適に採用可能であるが、同様の定着強度が得られるものであればたとえばアンカーフックやアンカープレートを備えたアンカー部材等の適宜の形式のものが任意に採用可能である。
【００１８】
上記の外装パネル１１は、従来の打込型枠１に較べてトラス筋１５が半数程度に削減されていることにより、トラス筋１５がヒートブリッジとなることで生じる熱損失を十分に軽減できて断熱性能を向上させることができる。勿論、スタッド１６による熱損失は無視し得る程度に些少である。
【００１９】
また、本実施形態の構造の外壁では、上記の外装パネル１１を単なる仕上げ材や打込型枠としてではなく外壁本体１４に対して構造的に一体化しており、その外装パネル１１は外壁の一部を構成する構造部材としても機能させるものとしており、その外装パネル１１には単なる補強筋ではなく壁筋１７として評価し得るように配筋されている。そして、そのように外装パネル１１に単なる補強筋ではなく壁筋１７が配筋され、外壁本体１４を一体的な構造部材として機能することから、外壁本体１４に配筋される壁筋１８は通常のように２段（ダブル）とする必要はなく１段（シングル）のみとすることで充分となっている。すなわち、本実施形態の外壁は、断熱材１３を挟んでパネル本体１２と外壁本体１４の双方に１段づつの壁筋を配筋することで外壁全体として２段の壁筋１７，１８を有するものであり、外壁本体５に２段の壁筋７を配筋する必要のあった従来の場合に比較すれば、トラス筋１５を削減したことも含めて外壁全体での所要鉄筋量を大幅に削減できるし、壁厚も薄くすることが可能であり、よって軽くすることが可能である。
【００２０】
上記の外装パネル１１を製作するには、壁筋１７を内蔵しトラス筋１５およびスタッド１６を取り付けた状態でパネル本体１２を形成した後、その内面全体に発泡系断熱材を吹き付けることで所定厚さの断熱材１３を形成するか、あるいは、図１に示しているように断熱材１３として断熱成形板を貼り付けるとともにトラス筋１５やスタッド１６と取り合う位置のみは発泡系断熱材１３ａを吹き付ければ良い。
【００２１】
上記の外装パネル１１を用いて上記の構造の外壁を施工するには、予め製作した外装パネル１１を従来と同様に打込型枠として使用し、その内側に壁筋１８を配筋し、コンクリートを打設することで外壁本体１４を現場打ちにて施工すれば良い。それにより、外壁本体１４がトラス筋１５およびスタッド１６を介して構造的に確実に一体化した状態で形成され、外壁本体１４とパネル本体１２との間に断熱材１３が介装された外断熱構造の外壁を効率的に施工することができる。
【００２２】
なお、上記のように外装パネル１１を打込型枠として外壁本体１４を現場打ちにより形成することに代えて、その外壁本体１４もＰＣａ化することも可能である。その場合、外装パネル１１と、外壁本体１４としてのＰＣａ版とを予めトラス筋１５およびスタッド１６を介して予め一体化することにより、断熱材１３を挟み込んだ形態のサンドイッチＰＣａ版として製作しておけば良く、それを建て込むことで外断熱構造の外壁を乾式工法にて効率的に施工することができる。
【図面の簡単な説明】
【００２３】
【図１】本発明の実施形態である外断熱構造の外壁を示す図である。
【図２】同外壁を施工するための外装パネルの一例を示す図である。
【図３】従来の外断熱構造の外壁を示す図である。
【図４】同外壁を施工するための打込型枠を示す図である。
【符号の説明】
【００２４】
１１  外装パネル
１２  パネル本体
１３  断熱材
１４  外壁本体
１５  トラス筋
１６  スタッド
１７  壁筋
１８  壁筋
【図１】
2005105534.tif 000003
【図２】
2005105534.tif 000004
【図３】
2005105534.tif 000005
【図４】
2005105534.tif 000006